(57)【要約】      （修正有）【課題】既存の製袋設備を大きく変更させることなく、内容量を増加させたパウチ、およびパウチを用いた包装体の製造方法、内容物を充填した包装体を提供する。【解決手段】内容物充填口１５を備えるパウチ１０において、パウチの内面に、パウチの幅方向に延在する成形用テープ１４が固定されており、成形用テープがパウチの幅方向に熱収縮する性質を備える。【選択図】図１
2018079935.tif 000002
【特許請求の範囲】
【請求項１】
内容物充填口を備えるパウチにおいて、
前記パウチの内面に、パウチの幅方向に延在する成形用テープが固定されており、該成形用テープがパウチの幅方向に熱収縮する性質を備えることを特徴とするパウチ。
【請求項２】
前記パウチが、前面フィルムと背面フィルムと底面フィルムとを備えることを特徴とする請求項１記載のパウチ。
【請求項３】
前記パウチが、パウチの高さ方向に延びる縦シール部を備えており、前記成形用テープが該縦シール部によって袋内面に固定されていることを特徴とする請求項１または２に記載のパウチ。
【請求項４】
前記成形用テープが、エチレン系樹脂を主成分とすることを特徴とする請求項１乃至３のいずれか１項に記載のパウチ。
【請求項５】
請求項１乃至４のいずれか１項に記載されたパウチを用いて、内容物が充填された包装体を製造する方法であって、
成形用テープの長さを縮める熱収縮工程、内容物を充填する充填工程、内容物充填口をシールする密封工程を備えることを特徴とする包装体の製造方法。
【請求項６】
内容物が充填された包装体において、該包装体の幅が、包装体の内面に固定された成形用テープによって狭められていることを特徴とする包装体。
【発明の詳細な説明】
【技術分野】
【０００１】
本発明は、シャンプーやリンス、液体洗浄剤といった液剤や、各種飲料や鍋つゆといった液体食品、粉石鹸や顆粒状漂白剤といった紛体等を充填するのに適したパウチと、該パウチを用いた包装体の製造方法、更にはパウチに内容物を充填した包装体に関する発明である。
尚、本発明におけるパウチとは、液体や紛体などを充填するパウチ（袋）全般を意味し、例えば、合掌シール袋、三方シール袋、サイドシール袋、平袋、ガゼット袋、スタンディングパウチ等、全てを含むものである。
【背景技術】
【０００２】
液剤や液体食品等の液体や紛体等は、しばしばスタンディングパウチと呼ばれる容器に充填され、販売されている。内容物が充填されたスタンディングパウチ７０の模式的斜視図を図７に示す。
一般的なスタンディングパウチは、前面フィルム７１と背面フィルム７２、底面フィルム７３とからなり、必要に応じスパウトを備える。該スタンディングパウチ７０は、内容物を充填する前はほぼ扁平である為、保管や運搬に都合がよい。また内容物を充填すると、底面フィルム７３によりマチが形成される為、自立性を備え、店頭で立てて陳列することができる。商品を立てて陳列すると、パウチ前面の印刷が消費者の目に留まり易くなり、集客力が高まる。
【０００３】
しかしながらスタンディングパウチ７０は上部にマチがないため、上方に行くに従って前面フィルム７１と背面フィルム７２との距離は縮まり、容量が小さくなる。スタンディングパウチ７０は、幅Ｗと高さＨが同じ略柱状のペットボトル等と比較すると、内容量が小さい。同じ内容量を確保するためには、幅Ｗ或いは高さＨを大きくする必要があり、陳列スペースを大きくする必要があった。
またスタンディングパウチ７０は上方に行くに従い幅が広がる為、内容物を取り出す際に片手で持ち難いという問題があった。更にスタンディングパウチ７０は、内容物がある程度充填されている状態では自立性を備えるが、内容物の量が減ると自立性を失う場合がある。よって、複数回に分けて詰め替える液剤のパウチ（詰め換え先ボトルの容量の２〜３倍の液剤が充填されたパウチ）に用いた場合、内容物を一度詰替えた後、残液を保管する際にパウチの上方が折れ曲がることがあった。
【０００４】
特許文献１は、内容物が減った状態でも形態が安定しており、必要以上に袋のサイズを大きくしなくても十分な容量が得られ、また、形態にバリエーションを持たせることが可能なパウチの製造方法に関する発明である。特許文献１は、ヒートシールにより袋体を形成する第１の工程と、袋体を加熱しかつ膨張方向に外力を加えて金型に密着させることにより立体成形する第２の工程とを含むことを特徴とする。
特許文献１記載のパウチの製造方法では、袋体が加熱された状態で膨張方向の外力を受ける為、ヒートシール部分が剥離し易いという問題があった。
【０００５】
特許文献２は、スタンディングパウチ（自立袋容器）を大容量にするとともに操作性をよくすることを目的とした発明で、袋の上方に上壁フィルムを備えることを特徴とする。上壁フィルムによりパウチ上部にもマチが形成される為、図７に示す一般的なスタンディングパウチよりも内容量が大きい。
特許文献３は、容器形状の自由度を高めることができると共に、容量の増量化を容易に図ることができるパウチに関する発明である。特許文献３に開示されたパウチもまた略柱状であり、一般的なスタンディングパウチより内容量が大きい。
【０００６】
しかしながら特許文献２乃至３に開示されているパウチは、いずれも従来のスタンディングパウチにはない位置にシール部を備える為、従来のスタンディングパウチの製造設備を大きく改良する必要があった。
【先行技術文献】
【特許文献】
【０００７】
【特許文献１】ＷＯ２００８／０１３２７５号公報
【特許文献２】実開平０７−０２８８４２号公報
【特許文献３】特開２０１１−００１１２５号公報
【発明の概要】
【発明が解決しようとする課題】
【０００８】
本発明は、既存の製袋設備を大きく変更させることなく、パウチの内容量を増加させることを課題とする。併せて該パウチを用いた包装体の製造方法、更には内容物を充填した包装体の提供を課題とする。
【課題を解決するための手段】
【０００９】
本発明者らは、パウチの内容量を増加させるために、パウチの形状を柱状（特に円柱状）に近づける方法について鋭意検討した。そして、パウチ内面に熱収縮性を備える成形用テープを固定する方法を見出した。内容物を充填する直前に、パウチ内面に固定された成形用テープを、パウチの幅方向に熱収縮させれば、該テープの収縮応力によりパウチの形状を略柱状に変形することができるのである。
【００１０】
即ち本発明によると、内容物充填口を備えるパウチにおいて、前記パウチの内面に、パウチの幅方向に延在する成形用テープが固定されており、該成形用テープがパウチの幅方向に熱収縮する性質を備えることを特徴とするパウチが提供される。
また前記パウチが、前面フィルムと背面フィルムと底面フィルムとを備えることを特徴とする前記パウチが提供される。
更に前記パウチが、パウチの高さ方向に延びる縦シール部を備えており、前記成形用テープが該縦シール部によって袋内面に固定されていることを前記パウチが提要される。
更にまた前記成形用テープが、エチレン系樹脂を主成分とすることを特徴とする前記パウチが提供される。
【００１１】
また前記パウチを用いて、内容物が充填された包装体を製造する方法であって、成形用テープの長さを縮める熱収縮工程、内容物を充填する充填工程、内容物充填口をシールする密封工程を備えることを特徴とする包装体の製造方法が提供される。
【００１２】
更に内容物が充填された包装体において、該包装体の幅が、包装体の内面に固定された成形用テープによって狭められていることを特徴とする包装体が提供される。
【発明の効果】
【００１３】
本発明のパウチは、内面に熱収縮性を備える成形用テープが固定されており、内容物を充填するに先立ち、該テープを熱により収縮させれば、パウチの形状を柱状に近づけることができ、パウチの内容量を増加させることができる。よって店頭の小さなスペースにも陳列することができる。また包装資材の節約にも役立つ。更にパウチの幅が狭くなるため、持ち易くなる。
【００１４】
また該パウチが、前面フィルムと背面フィルムと底面フィルムとを備える、いわゆるスタンディングパウチであると、得られる包装体を店頭の小スペースに立てて陳列することができる。更に前記パウチが、パウチの高さ方向に延びる縦シール部を備えており、成形用テープが該縦シール部により袋内面に固定されていると、成形用テープを固定するためだけの、新たなシール工程を設ける必要がない。加えて成形用テープがエチレン系樹脂を主成分とすると、パウチ内面に成形用テープを強固に固定することが可能となる。
【図面の簡単な説明】
【００１５】
【図１】本発明の一実施形態を表すパウチの模式的平面図（Ａ）とそのａ−ａ’の矢視断面図（Ｂ）である。
【図２】パウチの内面に成形用テープを固定する方法を説明するための模式図である。
【図３】本発明のパウチの別の実施形態を表す模式的平面図（Ａ）とそのａ−ａ’の矢視断面図（Ｂ）である。
【図４】本発明のパウチの別の実施形態を表す模式的平面図（Ａ）とそのａ−ａ’の矢視断面図（Ｂ）である。
【図５】本発明の別の実施形態を示す模式的平面図（Ａ）（Ｂ）である。
【図６】本発明の包装体の一実施例を表す模式的斜視図である。
【図７】従来のパウチを表す模式的斜視図である。
【発明を実施するための形態】
【００１６】
以下、図面に基づき本発明をさらに詳細に説明する。
図１は、本発明の一実施形態を表すパウチ１０の模式的平面図（Ａ）とそのａ−ａ’の矢視断面図（Ｂ）である。図１に示すパウチ１０は前面フィルム１１、背面フィルム１２、底面フィルム１３と、成形用テープ１４とからなり、上方には内容物を充填するための内容物充填口１５が形成されている。
【００１７】
［フィルム］
前面フィルム１１、背面フィルム１２、底面フィルム１３はそれぞれ、従来、スタンディングパウチに用いられていたフィルムと同様のフィルムを用いることができ、例えば、基材層とシーラント層とを備えるラミネートフィルムを採用することができる。
【００１８】
基材層は、例えばポリエチレンテレフタレート（ＰＥＴ）、ポリエチレンナフタレート（ＰＥＮ）、ポリブチレンテレフタレート（ＰＢＴ）などのポリエステルフィルム、ポリアミドフィルム（ＰＡ）、ポリスチレンフィルム（ＰＳ）、ポリカーボネートフィルム（ＰＣ）、ポリアクリロニトリルフィルム（ＰＡＮ）、ポリイミドフィルム（ＰＩ）、ポリビニルアルコール（ＰＶＡ）、ポリ塩化ビニリデン（ＰＶＤＣ）、ポリプロピレン（ＰＰ）、エチレン−ビニルアルコール共重合体（ＥＶＯＨ）などからなるフィルムを用いることができる。基材層は、機械的強度や寸法安定性を有するものであれば、特に限定されないが、特に二軸延伸されたフィルムが好ましく、価格や強度を考慮するとＰＥＴやＰＡの二軸延伸フィルムが適する。更に基材層には、必要に応じ、蒸着層やコーティング層を設けることができる。基材層の厚みは、加工性を考慮すると、１０〜５０μｍの範囲であることが好ましく、１０〜３０μｍの範囲であればより好ましい。
【００１９】
シーラント層は、例えば、低密度ポリエチレン（ＬＤＰＥ）、直鎖状低密度ポリエチレン（Ｌ−ＬＤＰＥ）、中密度ポリエチレン（ＭＤＰＥ）、高密度ポリエチレン（ＨＤＰＥ）、エチレン−酢酸ビニル共重合体（ＥＶＡ）、ポリプロピレン（ＰＰ）などのポリオレフィン系樹脂からなるフィルムを使用することができる。シーラント層の厚みとしては１０〜１００μｍの範囲であることが好ましく、１５〜７０μｍの範囲であればより好ましい。該シーラント層により、前面フィルム１１と背面フィルム１２、更にはこれらのフィルムと底面フィルム１３とがヒートシールされる。
【００２０】
基材層とシーラント層の積層方法は特に限定されないが、例えばドライラミネート用接着剤を用いて接着するとよい。ドライラミネート用接着剤としては、二液硬化型ウレタン系接着剤、ポリエステルウレタン系接着剤、ポリエーテルウレタン系接着剤、アクリル系接着剤、ポリエステル系接着剤、ポリアミド系接着剤、エポキシ系接着剤等を使用することができる。
【００２１】
前面フィルム１１、背面フィルム１２、底面フィルム１３等の諸物性を向上する必要があれば、基材層とシーラント層の間に中間層を設けることも可能である。内容物が空気に触れると変質し易い物である場合、中間層として、アルミニウム箔等を採用することもできる。また、これらのフィルムには、必要に応じて適宜印刷を行うことができる。尚、前面フィルム１１、背面フィルム１２、底面フィルム１３は同一の層構成のフィルムであってもよいが、それぞれ異なる層構成であっても良い。
【００２２】
［成形用テープ］
本発明のパウチの最大の特徴は、その内面に成形用テープ１４が固定されている点である。成形用テープ１４は、パウチの幅方向に延在する。そしてパウチの幅方向（テープの長さ方向）に熱収縮し得る性質を備える。
成形用テープ１４としては、従来、シュリンクフィルムとして用いられていたフィルムを、例えば１０〜７０ｍｍの幅に切断し、テープ状にしたものを採用することができる。成形用テープ１４の厚さは、特に限定されないが、収縮応力の観点から１０〜２００μｍが好ましく、特に３０〜１００μｍが好ましい。その材質は特に限定されるものではなく、ＰＥＴ、Ｌ−ＬＤＰＥ、ＬＤＰＥ、ＭＤＰＥ、ＨＤＰＥ、ＥＶＡ、ＰＰ、ＰＳ等の熱可塑性樹脂から選ばれる１種又は２種以上の混合物等を例示することができる。中でも、Ｌ−ＬＤＰＥやＬＤＰＥ、ＥＶＡ等のエチレン系樹脂は、ヒートシール性に優れる為、成形用テープ１４の材質として適する。
【００２３】
成形用テープ１４は単層のテープであってもよく、２層以上の多層テープであってもよい。内容物がホット充填される場合、成形用テープ１４は、高温（１００℃以上）において熱収縮するテープ（内容物を充填する温度では収縮しないテープ）であることが望ましく、ＰＰから成る層を備えることが好ましい。
【００２４】
［パウチの製造方法］
図１に示すパウチ１０は、前面フィルム１１、背面フィルム１２の間に底面フィルム１３、成形用テープ１４を介在させ、左右の側端縁をヒートシールして縦シール部１６を形成し、更に底部を船底状にヒートシールすることにより製造することができる。
尚、前面フィルム１１、背面フィルム１２、底面フィルム１３が、それぞれ基材層とシーラント層とを備える場合、前面フィルム１１と背面フィルム１２とは、シーラント層が袋の内側となるようにする。また底面フィルム１３はシーラント層が外側となるように山折りし、折り目を上側（充填口１５側）に向け、前面フィルム１１と背面フィルム１２との間に介在させる。このとき前面フィルム１１、背面フィルム１２、底面フィルム１３の下端を揃えるようにする。
また図１に示す成形用テープ１４の長さは、パウチ１０の幅とほぼ同じであり、該テープ１４はパウチの一方の側端縁から他方の側端縁に至るよう配置されている。そして左右の縦シール部１６により、前面フィルム１１と背面フィルム１２との間に固定される。  
【００２５】
［他の実施形態］
図２は、パウチに内面に成形用テープを固定する方法を説明するための模式図である。図１に示すパウチ１０では、成形用テープ１４がパウチ１０の両側端縁に形成された縦シール部１６にて、パウチ内面に固定されている。しかしながら成形用テープ１４の固定はこれに限定されるものではなく、例えば、図２に示すように、前面フィルム２１（或いは背面フィルム）の内面に、成形用テープ２４の周縁をヒートシール２９することにより固定することもできる。図２（Ａ）に示す成形用テープ２４を熱収縮させると、図２（Ｂ）に示すように、前面フィルム２１は中央にギャザーが入った形に変形する。尚、成形用テープ２４は接着剤を用いて固定することもできる。
【００２６】
図３は、本発明のパウチの別の実施形態を表す概略平面図（Ａ）とそのａ−ａ’の矢視断面図（Ｂ）である。成型用テープは１本である必要はなく、例えば図３に示すように、複数本あっても良い。図３に示すパウチ３０は、２本の成形用テープ３４が熱収縮した際に、図１に示すパウチ３０よりも円筒状に近くなる。
尚、最も上位にある成形用テープ３４の上端と充填口３５の距離ｄは１５ｍｍ以上であることが望ましく、特に３０ｍｍ以上であることが望ましい。距離ｄが１５ｍｍを下回ると、内容物を充填した後、充填口３５をヒートシールする際に、内容物が充填口から漏れ出す恐れがある。
図３に示すパウチ３０は、更にスパウト３８を備える。スパウト３８は、内容物充填後の包装体から内容物を取り出すためのもので、従来と同様のスパウトを採用することができる。尚、本発明によるパウチにおいてスパウトは必須ではなく、図１に示すパウチのように、スパウトを備えなくてもよい。しかしながらこの場合、開封のきっかけとなるノッチ１７を有することが望ましい。
【００２７】
図４もまた、本発明のパウチの別の実施形態を表す概略平面図（Ａ）とそのａ−ａ’の矢視断面図（Ｂ）である。図４に示すパウチ４０は、左右の縦シール部４６が、いずれも上方において内側に傾斜し（略ハの字状となり）内容物充填口４５の幅が狭くなっている。該パウチ４０は図３に示すパウチ３０よりも、内容物を充填した後の形状が柱状に近づく為、陳列空間を有効利用することができる。また充填口４５の幅が狭いと、内容物を充填した後、該充填口４５をヒートシールする作業が容易となる。
【００２８】
以上、パウチがスタンディングパウチである場合について本発明を詳説したが、本発明はこれに限定されるものではない。図５もまた本発明のパウチの実施形態を表すものである。図５（Ａ）はパウチ５０が前面フィルム５１と背面フィルム５２のみからなり、充填口５５を残して三方がシールされたものである。パウチ５０の内面には成形用テープ５４が固定されており、当該固定は縦シール部５６においてなされている。図５（Ｂ）は一枚のフィルム５１’が折り返され、両側端縁に縦シール部５６’が形成されたパウチ５０’である。パウチ５０’の内面には成形用テープ５４’が固定されており、当該固定は縦シール部５６’においてなされている。
【００２９】
［パウチを用いた包装体の製造方法］
次に本発明のパウチを用いて、内容物が充填された包装体を製造する方法について説明する。本発明の包装体の製造方法は、熱収縮工程、充填工程、密封工程を順次備える。
【００３０】
＜熱収縮工程＞
熱収縮工程は、成形用テープを熱収縮させ、袋を柱状に変形させる工程である。その方法は特に限定されるものではないが、内容物充填口を開き、該充填口よりパウチ内部に熱風を吹き付ける方法を例示する。熱風の温度は成形用テープの収縮温度に合せ、適宜決定するとよい。また熱風を充てる時間も特に限定されるものではないが、数秒〜十数秒程度が一般的である。
尚、熱収縮工程は、内容物を充填する充填工程の直前であることが望ましい。熱収縮工程を経た後のパウチは略柱状である為、熱収縮工程を経る前のパウチよりも、保管や輸送に大きな空間を要する。  
【００３１】
＜充填工程・密封工程＞
成形用テープの熱収縮が安定したら、内容物充填口より内容物を充填する。最後に、ヒートシール等により充填口を密封すれば本発明の包装体は完成する。尚、内容物の充填方法や、充填口の密封方法は、従来と同様の方法を適宜採用することができる。
尚、成形用テープの収縮温度よりも、充填時の内容物温度が高い場合は、熱収縮工程と充填工程とを同時に行うことができる。パウチ内に内容物を充填させる際に、内容物を成形用テープに接触させ、成形用テープを収縮させるのである。
【００３２】
［包装体］
図６は本発明の包装体の一実施例を表す模式的斜視図である。本発明の包装体６０は、包装体６０の幅Ｗよりも短い長さの成形用テープ６４により、その幅が部分的に狭められている。成形用テープ６４により狭められた部分の幅Ｗ’は、包装体Ｗの幅の５０〜９０％、特に６０〜８０％であることが望ましい。Ｗ’が５０％未満では前面フィルム６１が大きくカールするため印刷が見えにくくなる。またＷ’が９０％を超えると内容量の増加が極僅かとなる。尚、Ｗ’の幅が５〜２０ｃｍ、特に７〜１５ｃｍであると、包装体６０を容易に片手で持つことができる。よって、内容物が詰め換え用の液体等である場合、詰め替え作業を片手で容易にできる。
図６に示す包装体６０は成形用テープ６４により狭められている部分の幅Ｗ’がその上下の幅よりも狭い為、包装体６０を片手で握ったときに滑り難いという効果を奏する。尚、包装体６０はスパウト６８を備えるが、その先端にはキャップ６８’が取り付けられており、内容物が漏れ出さないようになっている。
【符号の説明】
【００３３】
１０、３０、４０、５０、５０’                本発明のパウチ
１１、２１、３１、４１、５１、５１’、７１      前面フィルム
１２、３２、４２、５２、７２                  背面フィルム
１３、３３、４３、７３                        底面フィルム
１４、２４、３４、４４、５４、５４’、６４      成形用テープ
１５、３５、４５、５５、５５’                内容物充填口
１６、３６、４６、５６、５６’                縦シール部
１７                                          ノッチ
３８、４８、６８                              スパウト
６８’                                        キャップ
２９                                          ヒートシール
６０                                          本発明の包装体
７０                                          従来のパウチ
【図１】
2018079935.tif 000003
【図２】
2018079935.tif 000004
【図３】
2018079935.tif 000005
【図４】
2018079935.tif 000006
【図５】
2018079935.tif 000007
【図６】
2018079935.tif 000008
【図７】
2018079935.tif 000009